(57)【要約】【課題】液晶表示装置の消費電力を増大させることなくフリッカを低減させる。【解決手段】第ｎフレームの前半期間の走査期間Ｔｓｃにおいて、画素マトリクスにおける隣り合う２行に対応する２つの走査信号線を１組として仮想走査信号線といい、まず奇数番目の仮想走査信号線が順に選択され、次に所定の走査停止期間Ｔｎｓｃの後、偶数番目の仮想走査信号線が順に選択されることで、仮想的な飛び越し走査が行われる。さらに次の第ｎ＋１フレームでは各行の極性が反転され同様の仮想的な飛び越し走査を行う１ライン反転駆動がなされる。このことにより、走査停止期間Ｔｎｓｃの長さを増加させることで消費電力を増加させることなく、異なる仮想走査信号線に含まれかつ隣り合う走査信号線に繋がる２つの画素形成部の輝度の平均値の変化を小さくすることにより、電流リークによるフリッカが空間的に低減される。【選択図】  図３
2006030831.tif 000002
【特許請求の範囲】
【請求項１】
表示すべき画像を形成するための複数の画素形成部と、前記表示すべき画像を示す複数の映像信号を前記複数の画素形成部に伝達するための複数の映像信号線と、前記複数の映像信号線と交差する複数の走査信号線とを備え、前記複数の画素形成部が前記複数の映像信号線と前記複数の走査信号線との交差点にそれぞれ対応してマトリクス状に配置されたアクティブマトリクス型の液晶表示装置であって、
前記複数の走査信号線のうち隣接する２以上の走査信号線を１組として複数が定められる仮想走査信号線を所定数おきに順に選択することにより前記複数の走査信号線を選択的に駆動する仮想飛び越し走査を繰り返す走査信号線駆動回路と、
各仮想走査信号線において少なくとも１対の走査信号線の一方が選択されているときと当該少なくとも１対の走査信号線の他方が選択されているときとで、各映像信号線によって伝達される映像信号の正負極性が互いに異なるように、前記複数の映像信号線に前記複数の映像信号をそれぞれ印加する映像信号線駆動回路とを備え、
前記各画素形成部は、対応する交差点を通過する走査信号線が前記走査信号線駆動回路によって選択されているときに、当該対応する交差点を通過する映像信号線によって伝達される映像信号を画素値として取り込み、
前記走査信号線駆動回路は、前記仮想飛び越し走査の終了から次の前記仮想飛び越し走査の開始までの間に所定期間だけ前記複数の走査信号線全てを非選択状態とすることを特徴とする、液晶表示装置。
【請求項２】
前記走査信号線駆動回路は、任意の映像信号線によって正極性の映像信号が伝達されるときに選択される走査信号線の数と当該任意の映像信号線によって負極性の映像信号が伝達されるときに選択される走査信号線の数とが各仮想走査信号線において互いに同じになるように、前記複数の走査信号線のうち隣接する偶数の走査信号線を１つの仮想走査信号線として前記仮想飛び越し走査を繰り返すことを特徴とする、請求項１に記載の液晶表示装置。
【請求項３】
前記走査信号線駆動回路は、前記複数の仮想走査信号線のうちの２以上を１組として複数が定められる仮想走査信号線群を新たな仮想走査信号線として所定数おきに順に選ぶことにより前記複数の走査信号線を選択的に駆動する仮想飛び越し走査を繰り返すとともに、前記各新たな仮想飛び越し走査の終了から次の前記新たな仮想飛び越し走査の開始までの間に所定期間だけ前記複数の走査信号線を非選択状態とすることを特徴とする、請求項１または請求項２に記載の液晶表示装置。
【請求項４】
前記走査信号線駆動回路は、１つの仮想飛び越し走査に必要な期間以上の期間を前記所定期間として前記複数の走査信号線を非選択状態とすることを特徴とする、請求項１から請求項３までのいずれか１項に記載の液晶表示装置。
【請求項５】
表示すべき画像を形成するための複数の画素形成部と、前記表示すべき画像を示す複数の映像信号を前記複数の画素形成部に伝達するための複数の映像信号線と、前記複数の映像信号線と交差する複数の走査信号線とを備え、前記複数の画素形成部が前記複数の映像信号線と前記複数の走査信号線との交差点にそれぞれ対応してマトリクス状に配置されたアクティブマトリクス型の液晶表示装置であって、
前記複数の走査信号線を所定数おきに順に選択することにより駆動する飛び越し走査を繰り返す走査信号線駆動回路と、
任意の走査信号線が選択されているとき、互いに隣接するまたは所定数をあけて隣り合う２つの映像信号線によって伝達される映像信号の正負極性が互いに異なるように、前記複数の映像信号線に前記複数の映像信号をそれぞれ印加する映像信号線駆動回路とを備え、
前記各画素形成部は、対応する交差点を通過する走査信号線が前記走査信号線駆動回路によって選択されているときに、当該対応する交差点を通過する映像信号線によって伝達される映像信号を画素値として取り込み、
前記走査信号線駆動回路は、前記飛び越し走査の終了から次の前記飛び越し走査の開始までの間に所定期間だけ前記複数の走査信号線全てを非選択状態とすることを特徴とする、液晶表示装置。
【請求項６】
表示すべき画像を形成するための複数の画素形成部と、前記表示すべき画像を示す複数の映像信号を前記複数の画素形成部に伝達するための複数の映像信号線と、前記複数の映像信号線と交差する複数の走査信号線とを備え、前記複数の画素形成部が前記複数の映像信号線と前記複数の走査信号線との交差点にそれぞれ対応してマトリクス状に配置されたアクティブマトリクス型の液晶表示装置を駆動する方法であって、
前記複数の走査信号線のうち隣接する２以上の走査信号線を１組として複数が定められる仮想走査信号線を所定数おきに順に選択することにより前記複数の走査信号線を選択的に駆動する仮想飛び越し走査を繰り返す走査信号線駆動ステップと、
各仮想走査信号線において少なくとも１対の走査信号線の一方が選択されているときと当該少なくとも１対の走査信号線の他方が選択されているときとで、各映像信号線によって伝達される映像信号の正負極性が互いに異なるように、前記複数の映像信号線に前記複数の映像信号をそれぞれ印加することにより、対応する交差点を通過する走査信号線が前記走査信号線駆動回路によって選択されているときに、当該対応する交差点を通過する映像信号線によって伝達される映像信号を画素値として前記各画素形成部に与える映像信号線駆動ステップとを含み、
前記走査信号線駆動ステップは、前記仮想飛び越し走査の終了から次の前記仮想飛び越し走査の開始までの間に所定期間だけ前記複数の走査信号線全てを非選択状態とすることを特徴とする、駆動方法。
【請求項７】
表示すべき画像を形成するための複数の画素形成部と、前記表示すべき画像を示す複数の映像信号を前記複数の画素形成部に伝達するための複数の映像信号線と、前記複数の映像信号線と交差する複数の走査信号線とを備え、前記複数の画素形成部が前記複数の映像信号線と前記複数の走査信号線との交差点にそれぞれ対応してマトリクス状に配置されたアクティブマトリクス型の液晶表示装置を駆動する方法であって、
前記複数の走査信号線を所定数おきに順に選択することにより駆動する飛び越し走査を繰り返す走査信号線駆動ステップと、
任意の走査信号線が選択されているとき、互いに隣接するまたは所定数をあけて隣り合う２つの映像信号線によって伝達される映像信号の正負極性が互いに異なるように、前記複数の映像信号線に前記複数の映像信号をそれぞれ印加することにより、対応する交差点を通過する走査信号線が前記走査信号線駆動回路によって選択されているときに、当該対応する交差点を通過する映像信号線によって伝達される映像信号を画素値として前記各画素形成部に与える映像信号線駆動ステップとを含み、
前記走査信号線駆動ステップは、前記飛び越し走査の終了から次の前記飛び越し走査の開始までの間に所定期間だけ前記複数の走査信号線全てを非選択状態とすることを特徴とする、駆動方法。
【発明の詳細な説明】
【技術分野】
【０００１】
本発明は、液晶表示装置およびその駆動方法に関するものであり、更に詳しくは、アクティブマトリクス型の液晶表示装置における交流化駆動に関する。
【背景技術】
【０００２】
一般に液晶表示装置では、液晶の劣化を抑えると共に表示品位を維持するために交流化駆動が行われている。しかし、アクティブ型の液晶表示装置においては、画素毎に設けられたＴＦＴ（Ｔｈｉｎ  Ｆｉｌｍ  Ｔｒａｎｓｉｓｔｏｒ）等のスイッチング素子の特性が十分でないために、液晶パネルの映像信号線（列電極）に電圧を印加する映像信号線駆動回路（「列電極駆動回路」または「データ線駆動回路」とも呼ばれる）から出力される映像信号の正負すなわち共通電極の電位を基準とする印加電圧の正負が対称であっても、液晶層の透過率は正負のデータ電圧に対して完全に対称とはならない。このため、１フレーム毎に液晶への印加電圧の極性を反転させる駆動方式（フレーム反転駆動方式）では、液晶パネルよる表示においてフリッカが発生する（以下、このフリッカを「正負非対称によるフリッカ」ともいう）。近年、携帯電話機等のような携帯用情報機器は、その処理性能の向上と利用の高度化などによって高品位の表示能力が要求されるため、このような正負非対称によるフリッカが問題となる。そこで、上記携帯用情報機器で使用される液晶モジュールの交流化駆動方式として、１水平走査線毎に印加電圧の正負極性を反転させつつ１フレーム毎にも正負極性を反転させる駆動方式（「１ライン反転駆動方式」と呼ばれる）が採用されている。また、垂直・水平方向に隣り合う画素毎に印加電圧の正負極性を反転させつつ１フレーム毎にも正負極性を反転させる駆動方式（「１ドット反転駆動方式」と呼ばれる）も採用されている。
【０００３】
しかし、上記１ライン反転駆動方式を採用すると、液晶パネルに印加すべき映像信号における極性反転の頻度（反転周波数）が高くなり、また、駆動用ＩＣ（Ｉｎｔｅｇｒａｔｅｄ  Ｃｉｒｃｕｉｔ）に必要な耐圧の低減のために共通電極の電位の切換周波数も高くなる。その結果、消費電力が増大する。
【０００４】
そこで、近年では、所定の期間だけ印加電圧を変化させない状態とするための走査停止期間を設けることにより、全体として反転周波数を低くする駆動方式が採用されることがある（例えば特許文献１を参照）。このような走査停止期間の挿入により、携帯電話機等における低消費電力化の要求に応えることができる。
【特許文献１】特開２００２−１８２６１９号公報
【発明の開示】
【発明が解決しようとする課題】
【０００５】
しかし、この走査停止期間は、長く設定されるほど消費電力を低減することができるが、長く設定されるほど、液晶パネルの画素形成部に設けられる印加電圧を保持するための容量素子において走査停止期間中に電流のリークが生じ、保持されるべき電圧が低下する。このことにより、次に与えられる印加電圧に応じて表示される画素の輝度変化が顕著になる。その結果、この輝度変化がフリッカとして視認されるようになる（以下、このフリッカを「電流リークによるフリッカ」ともいう）。
【０００６】
そこで本発明では、消費電力を増大させることなく上記電流リークによるフリッカと正負非対称によるフリッカとを低減させ、またはこれらのフリッカを増大させることなく消費電力を低減させた液晶表示装置を提供することを目的とする。
【課題を解決するための手段】
【０００７】
第１の発明は、表示すべき画像を形成するための複数の画素形成部と、前記表示すべき画像を示す複数の映像信号を前記複数の画素形成部に伝達するための複数の映像信号線と、前記複数の映像信号線と交差する複数の走査信号線とを備え、前記複数の画素形成部が前記複数の映像信号線と前記複数の走査信号線との交差点にそれぞれ対応してマトリクス状に配置されたアクティブマトリクス型の液晶表示装置であって、
前記複数の走査信号線のうち隣接する２以上の走査信号線を１組として複数が定められる仮想走査信号線を所定数おきに順に選択することにより前記複数の走査信号線を選択的に駆動する仮想飛び越し走査を繰り返す走査信号線駆動回路と、
各仮想走査信号線において少なくとも１対の走査信号線の一方が選択されているときと当該少なくとも１対の走査信号線の他方が選択されているときとで、各映像信号線によって伝達される映像信号の正負極性が互いに異なるように、前記複数の映像信号線に前記複数の映像信号をそれぞれ印加する映像信号線駆動回路とを備え、
前記各画素形成部は、対応する交差点を通過する走査信号線が前記走査信号線駆動回路によって選択されているときに、当該対応する交差点を通過する映像信号線によって伝達される映像信号を画素値として取り込み、
前記走査信号線駆動回路は、前記仮想飛び越し走査の終了から次の前記仮想飛び越し走査の開始までの間に所定期間だけ前記複数の走査信号線全てを非選択状態とすることを特徴とする。
【０００８】
第２の発明は、第１の発明において、
前記走査信号線駆動回路は、任意の映像信号線によって正極性の映像信号が伝達されるときに選択される走査信号線の数と当該任意の映像信号線によって負極性の映像信号が伝達されるときに選択される走査信号線の数とが各仮想走査信号線において互いに同じになるように、前記複数の走査信号線のうち隣接する偶数の走査信号線を１つの仮想走査信号線として前記仮想飛び越し走査を繰り返すことを特徴とする。
【０００９】
第３の発明は、第１または第２の発明において、
前記走査信号線駆動回路は、前記複数の仮想走査信号線のうちの２以上を１組として複数が定められる仮想走査信号線群を新たな仮想走査信号線として所定数おきに順に選ぶことにより前記複数の走査信号線を選択的に駆動する仮想飛び越し走査を繰り返すとともに、前記各新たな仮想飛び越し走査の終了から次の前記新たな仮想飛び越し走査の開始までの間に所定期間だけ前記複数の走査信号線を非選択状態とすることを特徴とする。
【００１０】
第４の発明は、第１から第３までのいずれか１つの発明において、
前記走査信号線駆動回路は、１つの仮想飛び越し走査に必要な期間以上の期間を前記所定期間として前記複数の走査信号線を非選択状態とすることを特徴とする。
【００１１】
第５の発明は、表示すべき画像を形成するための複数の画素形成部と、前記表示すべき画像を示す複数の映像信号を前記複数の画素形成部に伝達するための複数の映像信号線と、前記複数の映像信号線と交差する複数の走査信号線とを備え、前記複数の画素形成部が前記複数の映像信号線と前記複数の走査信号線との交差点にそれぞれ対応してマトリクス状に配置されたアクティブマトリクス型の液晶表示装置であって、
前記複数の走査信号線を所定数おきに順に選択することにより駆動する飛び越し走査を繰り返す走査信号線駆動回路と、
任意の走査信号線が選択されているとき、互いに隣接するまたは所定数をあけて隣り合う２つの映像信号線によって伝達される映像信号の正負極性が互いに異なるように、前記複数の映像信号線に前記複数の映像信号をそれぞれ印加する映像信号線駆動回路とを備え、
前記各画素形成部は、対応する交差点を通過する走査信号線が前記走査信号線駆動回路によって選択されているときに、当該対応する交差点を通過する映像信号線によって伝達される映像信号を画素値として取り込み、
前記走査信号線駆動回路は、前記飛び越し走査の終了から次の前記飛び越し走査の開始までの間に所定期間だけ前記複数の走査信号線全てを非選択状態とすることを特徴とする。
【００１２】
第６の発明は、表示すべき画像を形成するための複数の画素形成部と、前記表示すべき画像を示す複数の映像信号を前記複数の画素形成部に伝達するための複数の映像信号線と、前記複数の映像信号線と交差する複数の走査信号線とを備え、前記複数の画素形成部が前記複数の映像信号線と前記複数の走査信号線との交差点にそれぞれ対応してマトリクス状に配置されたアクティブマトリクス型の液晶表示装置を駆動する方法であって、
前記複数の走査信号線のうち隣接する２以上の走査信号線を１組として複数が定められる仮想走査信号線を所定数おきに順に選択することにより前記複数の走査信号線を選択的に駆動する仮想飛び越し走査を繰り返す走査信号線駆動ステップと、
各仮想走査信号線において少なくとも１対の走査信号線の一方が選択されているときと当該少なくとも１対の走査信号線の他方が選択されているときとで、各映像信号線によって伝達される映像信号の正負極性が互いに異なるように、前記複数の映像信号線に前記複数の映像信号をそれぞれ印加することにより、対応する交差点を通過する走査信号線が前記走査信号線駆動回路によって選択されているときに、当該対応する交差点を通過する映像信号線によって伝達される映像信号を画素値として前記各画素形成部に与える映像信号線駆動ステップとを含み、
前記走査信号線駆動ステップは、前記仮想飛び越し走査の終了から次の前記仮想飛び越し走査の開始までの間に所定期間だけ前記複数の走査信号線全てを非選択状態とすることを特徴とする。
【００１３】
第７の発明は、表示すべき画像を形成するための複数の画素形成部と、前記表示すべき画像を示す複数の映像信号を前記複数の画素形成部に伝達するための複数の映像信号線と、前記複数の映像信号線と交差する複数の走査信号線とを備え、前記複数の画素形成部が前記複数の映像信号線と前記複数の走査信号線との交差点にそれぞれ対応してマトリクス状に配置されたアクティブマトリクス型の液晶表示装置を駆動する方法であって、
前記複数の走査信号線を所定数おきに順に選択することにより駆動する飛び越し走査を繰り返す走査信号線駆動ステップと、
任意の走査信号線が選択されているとき、互いに隣接するまたは所定数をあけて隣り合う２つの映像信号線によって伝達される映像信号の正負極性が互いに異なるように、前記複数の映像信号線に前記複数の映像信号をそれぞれ印加することにより、対応する交差点を通過する走査信号線が前記走査信号線駆動回路によって選択されているときに、当該対応する交差点を通過する映像信号線によって伝達される映像信号を画素値として前記各画素形成部に与える映像信号線駆動ステップとを含み、
前記走査信号線駆動ステップは、前記飛び越し走査の終了から次の前記飛び越し走査の開始までの間に所定期間だけ前記複数の走査信号線全てを非選択状態とすることを特徴とする。
【発明の効果】
【００１４】
第１の発明によれば、隣接する２以上の走査信号線からなる仮想走査信号線を所定数おきに順に選択する仮想飛び越し走査を繰り返すとともに、各仮想飛び越し走査の終了から次の仮想飛び越し走査の開始までの間に所定の期間（走査停止期間）だけ走査信号線全てを非選択状態とする。このことにより、異なる仮想走査信号線に含まれかつ隣り合う走査信号線に繋がる２つの画素形成部の輝度の平均値の変化を小さくすることができるので、同じ長さの走査停止期間を有する従来の装置に比べ、消費電力を増加させることなく電流リークによるフリッカを空間的に低減させることができる。また、１つの仮想走査信号線に対応する極性に正負の極性の双方が含まれるため、正負非対称によるフリッカを空間的に低減させることができる。
【００１５】
第２の発明によれば、所定の正または負の極性の双方を同数に含むように定められた隣接する２以上の走査信号線からなる仮想走査信号線が定められるので、従来の装置に比べ、正負非対称によるフリッカを空間的により低減させることができ、また消費電力を増加させることなく電流リークによるフリッカを空間的に低減させることができる。
【００１６】
第３の発明によれば、複数の仮想走査信号線のうちの２以上を１組として複数の仮想走査信号線群を定めることにより、仮想的な飛び越し走査のパターンを任意に設定することができ、消費電力を増加させることなく電流リークによるフリッカを空間的に低減させることができる。
【００１７】
第４の発明によれば、１つの仮想飛び越し走査に必要な期間以上の走査停止期間を設けることにより、走査停止期間を有しない従来の装置に比べ、消費電力を半分以下に抑えながらフリッカを空間的に低減させることができる。
【００１８】
第５の発明によれば、互いに隣接するまたは所定数をあけて隣り合う２つの映像信号線によって伝達される映像信号の正負極性が互いに異なるように、走査信号線を所定数おきに順に選択する飛び越し走査を繰り返すとともに、各飛び越し走査の終了から次の飛び越し走査の開始までの間に所定の期間（走査停止期間）だけ走査信号線全てを非選択状態とする。このことにより、異なる飛び越し走査により選択される隣り合う走査信号線に繋がる２つの画素形成部の輝度の平均値の変化を小さくすることができるので、同じ長さの走査停止期間を有する従来の装置に比べ、消費電力を増加させることなく電流リークによるフリッカを空間的に低減させることができ、また１つの走査信号線に対応する極性に正負の極性の双方が含まれるため、正負非対称によるフリッカを空間的に低減させることができる。
【００１９】
第６の発明によれば、第１の発明と同様の効果を奏する。
【００２０】
第７の発明によれば、第５の発明と同様の効果を奏する。
【発明を実施するための最良の形態】
【００２１】
以下、本発明の実施形態について添付図面を参照して説明する。
＜１．第１の実施形態＞
＜１．１  全体の構成および動作＞
図１（ａ）は、本発明の第１の実施形態に係る液晶表示装置の構成を示すブロック図である。この液晶表示装置は、表示制御回路２００と、映像信号線駆動回路３００（「列電極駆動回路」または「データ線駆動回路」とも呼ばれる）と、走査信号線駆動回路（「行電極駆動回路」または「ゲート線駆動回路」とも呼ばれる）４００と、共通電極駆動回路５００と、アクティブマトリクス型の液晶パネル６００とを備えている。
【００２２】
この液晶表示装置における表示部としての液晶パネル６００は、外部のコンピュータにおけるＣＰＵ等から受け取る画像データＤｖの表す画像における水平走査線にそれぞれが対応する複数本の走査信号線（行電極）と、それら複数本の走査信号線のそれぞれと交差する複数本の映像信号線（列電極）と、それら複数本の走査信号線と複数本の映像信号線との交差点にそれぞれ対応して設けられた複数の画素形成部とを含む。各画素形成部の構成は、基本的には従来のアクティブマトリクス型液晶パネルにおける構成と同様である（詳細は後述）。また、この液晶パネル６００は、各画素形成部に含まれる画素電極に共通的に設けられかつ液晶層を挟んで各画素電極と対向するように配置された共通電極を備えている。
【００２３】
本実施形態では、液晶パネル６００に表示すべき画像を表す（狭義の）画像データおよび表示動作のタイミング等を決めるデータ（例えば表示用クロックの周波数を示すデータ）（以下「表示制御データ」という）は、外部のコンピュータにおけるＣＰＵ等から表示制御回路２００に送られる（以下、外部から送られるこれらのデータＤｖを「広義の画像データ」という）。すなわち、外部のＣＰＵ等は、広義の画像データＤｖを構成する（狭義の）画像データおよび表示制御データを、アドレス信号ＡＤｗとして表示制御回路２００に供給して、表示制御回路２００内の後述の表示メモリおよびレジスタにそれぞれ書き込む。
【００２４】
表示制御回路２００は、レジスタに書き込まれた表示制御データに基づき、表示用のクロック信号ＣＫや、水平同期信号ＨＳＹ、垂直同期信号ＶＳＹ等を生成する。また、表示制御回路２００は、外部のＣＰＵ等によって表示メモリに書き込まれた（狭義の）画像データを表示メモリから読み出して、デジタル画像信号Ｄａとして出力する。さらに、表示制御回路２００は、水平同期信号ＨＳＹおよび垂直同期信号ＶＳＹに基づき、液晶パネル６００の交流化駆動のための極性切換制御信号φを生成する。このようにして、表示制御回路２００によって生成される信号のうち、クロック信号ＣＫは映像信号線駆動回路３００に、水平同期信号ＨＳＹおよび垂直同期信号ＶＳＹは映像信号線駆動回路３００および走査信号線駆動回路４００に、デジタル画像信号Ｄａは映像信号線駆動回路３００に、極性切換制御信号φは、映像信号線駆動回路３００および共通電極駆動回路５００に、それぞれ供給される。
【００２５】
映像信号線駆動回路３００には、上記のように、液晶パネル６００に表示すべき画像を表すデータが画素単位でデジタル画像信号Ｄａとして供給されると共に、タイミングを示す信号としてクロック信号ＣＫ、水平同期信号ＨＳＹ、垂直同期信号ＶＳＹ、および極性切換制御信号φが供給される。映像信号線駆動回路３００は、これらの信号Ｄａ、ＣＫ、ＨＳＹ、ＶＳＹ、φに基づき、液晶パネル６００を駆動するための映像信号（以下「駆動用映像信号」ともいう）Ｄ（１），Ｄ（２），Ｄ（３），…を生成し、これを液晶パネル６００の各映像信号線に印加する。この駆動用映像信号Ｄ（１），Ｄ（２），Ｄ（３），…は、液晶パネル６００の交流化駆動のために、極性切換制御信号φに応じてその極性が反転する。
【００２６】
走査信号線駆動回路４００は、水平同期信号ＨＳＹおよび垂直同期信号ＶＳＹに基づき、液晶パネル６００における走査信号線を１水平走査期間ずつ後述の所定順に選択するために各走査信号線に印加すべき走査信号Ｇ（１），Ｇ（２）、Ｇ（３），…を生成し、全走査信号線のそれぞれを所定順で選択するためのアクティブな走査信号の各走査信号線への印加を１垂直走査期間を周期として繰り返す。
【００２７】
共通電極駆動回路５００は、液晶パネル６００の共通電極に与えるべき電圧である共通電圧Ｖｃｏｍを生成する。本実施形態では、映像信号線の電圧の振幅を抑えるために、交流化駆動に応じて共通電極の電位をも変化させている。すなわち、共通電極駆動回路５００は、表示制御回路２００からの極性切換制御信号φに応じて、１フレーム（１垂直走査期間）において２種類の基準電圧の間で切り換わる電圧を生成し、これを共通電圧Ｖｃｏｍとして液晶パネル６００の共通電極に供給する。
【００２８】
液晶パネル６００では、上記のようにして映像信号線に、映像信号線駆動回路３００によってデジタル画像信号Ｄａに基づく駆動用の映像信号Ｄ（１），Ｄ（２），Ｄ（３），…が印加され、走査信号線には、走査信号線駆動回路４００によって走査信号Ｇ（１），Ｇ（２）、Ｇ（３），…が印加され、共通電極には、共通電極駆動回路５００によって共通電圧Ｖｃｏｍが印加される。これにより液晶パネル６００は、外部のＣＰＵ等から受け取った画像データＤｖの表す画像を表示する。
【００２９】
＜１．２  表示制御回路＞
図１（ｂ）は、上記の液晶表示装置における表示制御回路２００の構成を示すブロック図である。この表示制御回路２００は、入力制御回路２０と表示メモリ２１とレジスタ２２とタイミング発生回路２３とメモリ制御回路２４と極性切換制御回路２５とを備えている。
【００３０】
この表示制御回路２００が外部のＣＰＵ等から受け取る広義の画像データＤｖを示す信号（以下、この信号も符号“Ｄｖ”で表すものとする）およびアドレス信号ＡＤｗは、入力制御回路２０に入力される。入力制御回路２０は、アドレス信号ＡＤｗに基づき、広義の画像データＤｖを、画像データＤＡと表示制御データＤｃとに振り分ける。そして、画像データＤＡを表す信号（以下、これらの信号も符号“ＤＡ”で表すものとする）をアドレス信号ＡＤｗに基づくアドレス信号ＡＤと共に表示メモリ２１に供給することで画像データＤＡを表示メモリ２１に書き込むと共に、表示制御データＤｃをレジスタ２２に書き込む。表示制御データＤｃは、クロック信号ＣＫの周波数や画像データＤｖの表す画像を表示するための水平走査期間および垂直走査期間を指定するタイミング情報を含んでいる。
【００３１】
タイミング発生回路（以下「ＴＧ」と略記する）２３は、レジスタ２２の保持する上記表示制御データに基づき、クロック信号ＣＫ、水平同期信号ＨＳＹおよび垂直同期信号ＶＳＹを生成する。また、ＴＧ２３は、表示メモリ２１およびメモリ制御回路２４をクロック信号ＣＫに同期させて動作させるためのタイミング信号を生成する。
【００３２】
メモリ制御回路２４は、外部から入力されて入力制御回路２０を介して表示メモリ２１に格納された画像データＤＡのうち、液晶パネル６００に表示すべき画像を表すデータを読み出すためのアドレス信号ＡＤｒと、表示メモリ２１の動作を制御するための信号とを生成する。これらのアドレス信号ＡＤｒおよび制御信号は表示メモリ２１に与えられ、これにより、液晶パネル６００に表示すべき画像を表すデータがデジタル画像信号Ｄａとして表示メモリ２１から読み出され、表示制御回路２００から出力される。このデジタル画像信号Ｄａは、既述のように映像信号線駆動回路３００に供給される。
【００３３】
極性切換制御回路２５は、ＴＧ２３によって生成された水平同期信号ＨＳＹおよび垂直同期信号ＶＳＹに基づき、上記の極性切換制御信号φを生成する。この極性切換制御信号φは、液晶パネル６００の交流化駆動のための極性反転のタイミングを決定する制御信号であって、既述のように映像信号線駆動回路３００および共通電極駆動回路５００に供給される。
【００３４】
＜１．３  液晶パネル＞
図２（ａ）は、本実施形態における液晶パネル６００の構成を示す模式図であり、図２（ｂ）は、この液晶パネルの一部（４画素に相当する部分）６１０の等価回路図である。
【００３５】
この液晶パネル６００は、映像信号線駆動回路３００に接続される複数の映像信号線Ｌｓと、走査信号線駆動回路４００に接続される複数の走査信号線Ｌｇとを備え、当該複数の映像信号線Ｌｓと当該複数の走査信号線Ｌｇとは、各映像信号線Ｌｓと各走査信号線Ｌｇとが交差するように格子状に配設されている。そして、当該複数の映像信号線Ｌｓと当該複数の走査信号線Ｌｇとの交差点に対応して複数の画素形成部Ｐｘがそれぞれ設けられている。各画素形成部Ｐｘは、図２（ｂ）に示すように、対応する交差点を通過する映像信号線Ｌｓにソース端子が接続されるとともに、対応する交差点を通過する走査信号線Ｌｇにゲート端子が接続されたＴＦＴ１０と、そのＴＦＴ１０のドレイン端子に接続された画素電極Ｅｐと、上記複数の画素形成部Ｐｘに共通的に設けられた共通電極（「対向電極」ともいう）Ｅｃと、上記複数の画素形成部Ｐｘに共通的に設けられ画素電極Ｅｐと共通電極Ｅｃとの間に挟持された液晶層とからなる。そして、画素電極Ｅｐと共通電極Ｅｃとそれらの間に挟持された液晶層とにより画素容量Ｃｐが形成される。このような画素形成部Ｐｘの構成は、以下に述べる本発明の各実施形態においても同様である。なお、上記構成からわかるように、いずれかの走査信号線Ｌｇに印加される走査信号Ｇ（ｋ）がアクティブになると、その走査信号線が選択されて、その走査信号線に接続される（各画素形成部Ｐｘの）ＴＦＴ１０が導通状態となり、そのＴＦＴ１０に接続される画素電極Ｅｐには、駆動用映像信号Ｄ（ｊ）が映像信号線Ｌｓを介して印加される。これにより、その印加された駆動用映像信号Ｄ（ｊ）の電圧（共通電極Ｅｃの電位を基準とする電圧）が、その画素電極Ｅｐを含む画素形成部Ｐｘに画素値として書き込まれる。
【００３６】
上記のような画素形成部Ｐｘは、マトリクス状に配置されて画素形成マトリクスを構成し、これに伴い、画素形成部Ｐｘに含まれる画素電極Ｅｐも、マトリクス状に配置されて画素電極マトリクスを構成する。ところで、画素形成部Ｐｘの主要部である画素電極Ｅｐは、液晶パネルに表示される画像の画素と１対１に対応し同一視できる。そこで、以下では、説明の便宜上、画素形成部Ｐｘまたは画素電極Ｅｐと画素とを同一視するものとし、「画素形成マトリクス」または「画素電極マトリクス」を単に「画素マトリクス」ともいう。
【００３７】
図２（ａ）において、各画素形成部Ｐｘに付されている“＋”は、或るフレームにおいて当該画素形成部Ｐｘを構成する画素液晶に（もしくは共通電極Ｅｃを基準として画素電極Ｅｐに）正の電圧が印加されることを意味し、“−”は、当該フレームにおいて当該画素形成部Ｐｘを構成する画素液晶に（もしくは共通電極Ｅｃを基準として画素電極Ｅｐに）負の電圧が印加されることを意味し、これら各画素形成部Ｐｘに付された“＋”と“−”により、画素マトリクスにおける極性パターンが示される。このような極性パターンの表現方法は、以下に述べる本発明の他の実施形態においても同様である。なお図２（ａ）に示すように本実施形態では、画素液晶への印加電圧の正負極性を画素マトリクスにおける各行毎に反転させ且つ１フレーム毎にも反転させる駆動方式である１ライン反転駆動方式が採用されている。
【００３８】
＜１．４  駆動方法＞
次に、図３および図４を参照しつつ、上記構成の液晶パネル６００を備えた本実施形態に係る液晶表示装置の駆動方法を説明する。なお以下では、説明の便宜上、液晶パネル６００における走査信号線Ｌｇの本数を８、映像信号線Ｌｓの本数を８とし、８本の走査信号線Ｌｇには走査信号線駆動回路４００により走査信号Ｇ（１）〜Ｇ（８）がそれぞれ印加され、８本の映像信号線Ｌｓには映像信号線駆動回路３００により駆動用映像信号Ｄ（１）〜Ｄ（８）がそれぞれ印加されるものとする。
【００３９】
図３は、本実施形態に係る液晶表示装置の駆動方法を説明するための概念図であり、行からなる各矩形は画素マトリクスを示しており、この画素マトリクスに付された記号“＋”または“−”は、画素液晶に印加される電圧すなわち共通電極Ｅｃを基準とする画素電極Ｅｐの電圧（以下「画素電圧」という）の極性を示しており、画素マトリクスを示す各矩形に沿って描かれた矢印は、走査方向（行番号の昇順方向）を示している。
【００４０】
また、図４は、本駆動方法を説明するためのタイミングチャートである。すなわち図４（ａ）〜（ｈ）は走査信号Ｇ（１）〜Ｇ（８）を示しており、走査信号Ｇ（ｋ）がＨレベルのとき、当該走査信号Ｇ（ｋ）の印加される走査信号線Ｌｇが選択され、走査信号Ｇ（ｋ）がＬレベルのとき、当該走査信号Ｇ（ｋ）の印加される走査信号線Ｌｇは非選択状態となる（ｋ＝１〜８）。また、図４（ｉ）は、映像信号線Ｌｓに印加される駆動用の映像信号Ｄ（１）〜Ｄ（８）の（共通電極Ｅｃを基準とする）電圧極性を１水平走査期間Ｔｈ毎に示している。
【００４１】
図３（ａ）は、或るフレーム（以下では、これを第ｎフレームとし、記号“Ｆ（ｎ）”で表すものとする）の前半期間に映像信号Ｄ（１）〜Ｄ（８）によって書き換えられる画素値に相当する画素電圧の極性を示している。本駆動方法では、図４（ａ）〜（ｈ）に示すように第ｎフレームＦ（ｎ）の前半期間のうちの所定の走査期間Ｔｓｃにおいて、画素マトリクスにおける１行目、２行目、５行目、６行目に対応する走査信号Ｇ（１）、Ｇ（２）、Ｇ（５）、Ｇ（６）がこの順にアクティブとなることで走査が行われる。ここで本実施形態では、画素マトリクスにおける１行目と２行目、３行目と４行目、５行目と６行目、７行目と８行目に対応する走査信号Ｇ（１）とＧ（２）、Ｇ（３）とＧ（４）、Ｇ（５）とＧ（６）、Ｇ（７）とＧ（８）のそれぞれの組を「仮想走査信号」といい、この仮想走査信号により走査が行われる１組の隣り合う走査信号線Ｌｇを「仮想走査信号線」という。よって例えば、画素マトリクスにおける１行目と２行目に対応する走査信号Ｇ（１）およびＧ（２）は１番目の仮想走査信号であり、この１番目の仮想走査信号により走査が行われる１組の隣り合う走査信号線Ｌｇは１番目の仮想走査信号線である。したがって、ここでは奇数番目の仮想走査信号線が順に選択されることで、（仮想走査信号線に着目するとき）仮想的な飛び越し走査が行われる。
【００４２】
そして、画素マトリクスにおける１行目、２行目、５行目、６行目の各画素形成部Ｐｘに書き込むべき画素値に相当する電圧が、それぞれ走査信号Ｇ（１）、Ｇ（２）、Ｇ（５）、Ｇ（６）のアクティブ期間において、図４（ｉ）に示すように正極性または負極性の映像信号Ｄ（１）〜Ｄ（８）として各映像信号線Ｌｓに印加される。例えば、映像信号Ｄ（１）〜Ｄ（８）の極性は、走査信号Ｇ（１）のアクティブ期間では正極性であり、走査信号Ｇ（２）のアクティブ期間では負極性である。
【００４３】
なお、ここでの走査期間Ｔｓｃでは、偶数番目の仮想走査信号である走査信号Ｇ（３）、Ｇ（４）、Ｇ（７）、Ｇ（８）は非アクティブであるので、対応する画素マトリクスにおける画素形成部Ｐｘには、当該走査期間Ｔｓｃ以前に印加された画素電圧が画素値として保持されている。このことを示すために、図３（ａ）では、画素マトリクスにおける３行目、４行目、７行目、８行目には極性を示す記号“＋”や“−”はいずれも付されていない。このような表記方法は以下においても同様である。
【００４４】
上記のような第ｎフレームＦ（ｎ）の前半期間のうちの所定の走査期間Ｔｓｃに続いて、本駆動方法では、第ｎフレームＦ（ｎ）の前半期間のうちの所定の走査停止期間Ｔｎｓｃだけ全ての走査信号Ｇ（１）〜Ｇ（８）が非アクティブとなって走査が停止する。この走査停止期間Ｔｎｓｃでは、画素マトリクスの極性パターンが図３（ａ）に示すパターンである状態が継続する。なお、走査停止期間Ｔｎｓｃにおける映像信号Ｄ（１）〜Ｄ（８）の電圧レベルは、特に限定されない。例えば走査停止期間Ｔｎｓｃの直前の電圧を維持してもよいし、適宜の周期で変化する電圧値としてもよいし、また、映像信号線駆動回路３００における映像信号Ｄ（１）〜Ｄ（８）の出力端子を高インピーダンス状態としてもよい。また、ここでの走査停止期間Ｔｎｓｃは、図４（ｉ）では省略して表記されているが、走査期間Ｔｓｃの３倍の長さを有するものとし、本実施形態において同様である。このように走査期間Ｔｓｃ以上の比較的長い走査停止期間Ｔｎｓｃが設定されることにより、走査停止期間を有しない駆動方式の液晶表示装置に比べて、本装置の消費電力を大幅に（ここでは約１／４に）低減することができる。
【００４５】
図３（ｂ）は、第ｎフレームの後半期間に映像信号Ｄ（１）〜Ｄ（８）によって書き換えられる画素値に相当する画素電圧の極性を示している。本駆動方法では、図４（ａ）〜（ｈ）に示すように第ｎフレームＦ（ｎ）の後半期間のうちの所定の走査期間Ｔｓｃにおいて、画素マトリクスにおける３行目、４行目、７行目、８行目に対応する走査信号Ｇ（３）、Ｇ（４）、Ｇ（７）、Ｇ（８）がこの順にアクティブとなることで、すなわち偶数番目の仮想走査信号線が順に選択されることで、仮想的な飛び越し走査が行われる。そして、画素マトリクスにおける３行目、４行目、７行目、８行目の各画素形成部Ｐｘに書き込むべき画素値に相当する電圧が、それぞれ走査信号Ｇ（３）、Ｇ（４）、Ｇ（７）、Ｇ（８）のアクティブ期間において、図４（ｉ）に示すように正極性または負極性の映像信号Ｄ（１）〜Ｄ（８）として各映像信号線Ｌｓに印加される。なお、ここでの走査期間Ｔｓｃでは、奇数番目の仮想走査信号である走査信号Ｇ（１）、Ｇ（２）、Ｇ（５）、Ｇ（６）は非アクティブであるので、対応する画素マトリクスにおける画素形成部Ｐｘには、当該走査期間Ｔｓｃ以前に印加された画素電圧が画素値として保持されている。
【００４６】
上記のような第ｎフレームＦ（ｎ）の後半期間のうちの所定の走査期間Ｔｓｃに続いて、第ｎフレームＦ（ｎ）の後半期間のうちの所定の走査停止期間Ｔｎｓｃだけ全ての走査信号Ｇ（１）〜Ｇ（８）が非アクティブとなって走査が停止する。この走査停止期間Ｔｎｓｃでは、画素マトリクスの極性パターンが図３（ｂ）に示すパターンである状態が継続する。
【００４７】
図３（ｃ）は、次の第ｎ＋１フレームの前半期間に映像信号Ｄ（１）〜Ｄ（８）によって書き換えられる画素値に相当する画素電圧の極性を示している。本駆動方法では、第ｎ＋１フレームＦ（ｎ＋１）の前半期間のうちの走査期間Ｔｓｃにおいて、画素マトリクスにおける１行目、２行目、５行目、６行目に対応する走査信号Ｇ（１）、Ｇ（２）、Ｇ（５）、Ｇ（６）がこの順にアクティブとなることで、すなわち奇数番目の仮想走査信号線が順に選択されることで、仮想的な飛び越し走査が行われ（図４（ａ）〜（ｈ））、画素マトリクスにおける１行目、２行目、５行目、６行目の各画素形成部Ｐｘに書き込むべき画素値に相当する電圧が、映像信号Ｄ（１）〜Ｄ（８）として各映像信号線Ｌｓに印加される（図４（ｉ））。なお、ここでの走査期間Ｔｓｃでは、偶数番目の仮想走査信号である走査信号Ｇ（３）、Ｇ（４）、Ｇ（７）、Ｇ（８）は非アクティブであるので、対応する画素マトリクスにおける画素形成部Ｐｘには、当該走査期間Ｔｓｃ以前に印加された画素電圧が画素値として保持されている。
【００４８】
上記のような第ｎ＋１フレームＦ（ｎ＋１）の前半期間のうちの所定の走査期間Ｔｓｃに続いて、第ｎ＋１フレームＦ（ｎ＋１）の前半期間のうちの所定の走査停止期間Ｔｎｓｃだけ全ての走査信号Ｇ（１）〜Ｇ（８）が非アクティブとなって走査が停止する。この走査停止期間Ｔｎｓｃでは、画素マトリクスの極性パターンが図３（ｃ）に示すパターンである状態が継続する。
【００４９】
図３（ｄ）は、第ｎ＋１フレームの後半期間に映像信号Ｄ（１）〜Ｄ（８）によって書き換えられる画素値に相当する画素電圧の極性を示している。本駆動方法では、第ｎ＋１フレームＦ（ｎ＋１）の後半期間のうちの所定の走査期間Ｔｓｃにおいて、画素マトリクスにおける３行目、４行目、７行目、８行目に対応する走査信号Ｇ（３）、Ｇ（４）、Ｇ（７）、Ｇ（８）がこの順にアクティブとなることで、すなわち偶数番目の仮想走査信号線が順に選択されることで、仮想的な飛び越し走査が行われる。そして、画素マトリクスにおける３行目、４行目、７行目、８行目の各画素形成部Ｐｘに書き込むべき画素値に相当する電圧が、それぞれ走査信号Ｇ（３）、Ｇ（４）、Ｇ（７）、Ｇ（８）のアクティブ期間において、図４（ｉ）に示すように正極性または負極性の映像信号Ｄ（１）〜Ｄ（８）として各映像信号線Ｌｓに印加される。なお、ここでの走査期間Ｔｓｃでは、奇数番目の仮想走査信号である走査信号Ｇ（１）、Ｇ（２）、Ｇ（５）、Ｇ（６）は非アクティブであるので、対応する画素マトリクスにおける画素形成部Ｐｘには、当該走査期間Ｔｓｃ以前に印加された画素電圧が画素値として保持されている。
【００５０】
上記のような第ｎ＋１フレームＦ（ｎ＋１）の後半期間のうちの所定の走査期間Ｔｓｃに続いて、第ｎ＋１フレームＦ（ｎ＋１）の後半期間のうちの所定の走査停止期間Ｔｎｓｃだけ全ての走査信号Ｇ（１）〜Ｇ（８）が非アクティブとなって走査が停止する。この走査停止期間Ｔｎｓｃでは、画素マトリクスの極性パターンが図３（ｄ）に示すパターンである状態が継続する。
【００５１】
上記のような駆動方法によれば、画素マトリクスの極性パターンは、第ｎフレームＦ（ｎ）の終了時点では、画素マトリクスにおける奇数行が正極性、偶数行が負極性であるパターンとなり、第ｎ＋１フレームＦ（ｎ＋１）の終了時点では、画素マトリクスにおける奇数行が負極性、偶数行が正極性であるパターンとなる。このようにして上記駆動方法により、１ライン反転駆動を行うことができる。
【００５２】
＜１．５  効果＞
本実施形態では、上記のようにして隣り合う２つの走査信号線からなる１つの仮想走査信号線が選ばれるとき、対応する映像信号線から正極性の電圧を印加される画素形成部と負極性の電圧を印加される画素形成部とが同数となるので、正負非対称によるフリッカを空間的に低減させることができる。また、連続する２つのフレームで上記画素電圧の正負極性が反転されるため、正負非対称によるフリッカを時間的にも低減させることができる。さらに、本実施形態では、上記のようにして走査停止期間Ｔｎｓｃを有するライン反転駆動が行われるが、同じ長さ（ここでは走査期間Ｔｓｃの３倍の長さ）の走査停止期間Ｔｎｓｃを有する従来のライン反転駆動に比べ、消費電力を増加させることなく電流リークによるフリッカを空間的に低減させることができる。以下、この点につき図５を参照して説明する。
【００５３】
図５は、本実施形態において電流リークによるフリッカが空間的に低減されることを説明する図である。図５（ａ）では、図４（ｂ）と同様に走査信号Ｇ（２）の波形が、また図５（ｃ）では、図４（ｃ）と同様に走査信号Ｇ（３）の波形がそれぞれ示されており、図５（ｂ）では、走査信号Ｇ（２）に対応する走査信号線に繋がる画素形成部Ｐｘに印加された画素電圧Ｖ（２）の変化が、図５（ｄ）では、走査信号Ｇ（３）に対応する走査信号線に繋がる画素形成部Ｐｘに印加された画素電圧Ｖ（３）の変化がそれぞれ示されている。なお、図５（ｂ）および図５（ｄ）に示される画素電圧が徐々に低下しているのは、前述したように当該画素形成部に設けられる印加電圧を保持するための容量素子から電流リークが生じるためである。また、図５（ｅ）では、走査信号Ｇ（３）に対応する走査信号線に繋がる画素形成部Ｐｘの輝度Ｌ（３）の変化が示されている。なお、画素形成部Ｐｘの輝度の変化は印加された画素電圧の変化に比例するので、図５（ｄ）に示す波形と図５（ｅ）に示す波形とは同様となっている。また、図５（ｇ）では、図４（ｉ）と同様に映像信号Ｄ（１）〜Ｄ（８）の電圧極性を１水平走査期間Ｔｈ毎に示している。
【００５４】
ここで、或る画素形成部Ｐｘとは異なる仮想走査信号線に繋がる画素形成部であって垂直方向（走査方向）に沿って隣り合う画素形成部を画素形成部Ｐｘｎとするとき、画素形成部Ｐｘおよび画素形成部Ｐｘｎの輝度の平均値の変化量は、画素形成部Ｐｘ（または画素形成部Ｐｘｎ）の輝度の変化量よりも必ず小さくなる。なぜなら、画素形成部Ｐｘ，Ｐｘｎに対応する仮想走査信号線が異なることから、一方の画素形成部（例えば画素形成部Ｐｘ）が第ｎフレームＦ（ｎ）の前半期間の走査期間Ｔｓｃにおいて画素電圧を印加されると、他方の画素形成部（例えば画素形成部Ｐｘｎ）は第ｎフレームＦ（ｎ）の後半期間に画素電圧を印加されるので、画素形成部Ｐｘ，Ｐｘｎにおいて輝度差が最大となる時点（すなわち最小輝度から最大輝度となる時点）がほぼ１フレームの半分の期間だけずれるからである。
【００５５】
図５（ｆ）では、走査信号Ｇ（３）に対応する走査信号線に繋がる画素形成部（ここでは画素形成部Ｐｘとする）と、走査信号Ｇ（２）に対応する走査信号線に繋がる画素形成部（ここでは画素形成部Ｐｘｎとする）との輝度の平均値Ｌａｖの変化が示されている。ここで、図５（ｅ）に示される、画素形成部Ｐｘの最大輝度と最小輝度との差である輝度差Ｌｇ３は、図５（ｆ）に示される、画素形成部Ｐｘおよび画素形成部Ｐｘｎの輝度の平均値の最大値と最小値との差である輝度差Ｌｇａｖよりも約２倍程度大きくなっている。このように、本実施形態では、消費電力を増加させることなく、異なる仮想走査信号線に含まれかつ隣り合う走査信号線に繋がる２つの画素形成部の輝度の平均値の変化を小さくすることにより、上記隣り合う走査信号線に繋がる画素形成部全体の輝度変化を小さくすることができるので、電流リークによるフリッカが空間的に低減される（すなわち表示画面全体における輝度変化の面内平均化が実現される）。なお、ここでは異なる仮想走査信号線に含まれかつ隣り合う走査信号線に繋がる２つの画素形成部に着目したが、隣り合う各仮想走査信号線にそれぞれ含まれる走査信号線に繋がる画素形成部に着目する場合でも同様に、隣り合う各仮想走査信号線に対応する画素形成部の輝度変化を小さくすることができるので、電流リークによるフリッカが空間的に低減されるといえる。
【００５６】
＜１．６  変形例＞
上記実施形態では、従来のライン反転駆動の場合と同じく、走査停止期間Ｔｎｓｃの長さを走査期間Ｔｓｃの３倍の長さとすることにより、装置の消費電力を同じくしているが、電流リークによるフリッカが空間的に低減される上記効果は１フレームあたりの全走査停止期間Ｔｎｓｃが長いほど失われることになる。なぜなら、走査停止期間Ｔｎｓｃが長いほど画素電圧を保持する容量素子からの電流リークが大きくなるので、容量素子により実際に保持されている電圧と保持されるべき電圧（印加電圧）との差が大きくなり、結果的に画素形成部Ｐｘと画素形成部Ｐｘｎとの輝度差Ｌａｖが大きくなるからである。
【００５７】
そこで、本実施形態の変形例として、従来のライン反転駆動の場合と同程度の電流リークによるフリッカが生じるが、従来のライン反転駆動の場合よりも走査停止期間Ｔｎｓｃの長さを長くすることにより、従来のライン反転駆動の場合よりも消費電力を小さくする構成も考えられる。
【００５８】
例えば、本実施形態の変形例として、走査停止期間Ｔｎｓｃの長さを走査期間Ｔｓｃの２倍の長さとするライン反転駆動方式を考える。したがって、この変形例では図４（ｉ）に示す走査停止期間Ｔｎｓｃが走査期間Ｔｓｃの２倍の長さを有するものとして、以下図４を参照して説明する。そして、この変形例におけるライン反転駆動方式と、走査停止期間Ｔｎｓｃの長さを走査期間Ｔｓｃの長さと等しくする前述した例とは別の従来のライン反転駆動方式とを比較する。この実施形態の変形例におけるライン反転駆動方式での１フレーム（図４（ｉ）に示すフレームＦ（ｎ））あたりの全走査停止期間Ｔｎｓｃの長さ（ここでは１６水平走査期間Ｔｈ）は、上記別の従来のライン反転駆動方式での１フレームあたりの全走査停止期間Ｔｎｓｃの長さ（ここでは８水平走査期間Ｔｈ）の２倍である。しかし、図５（ｆ）に示される、画素形成部Ｐｘと画素形成部Ｐｘｎとの輝度差Ｌｇａｖは、図５（ｅ）に示される、画素形成部Ｐｘの輝度差Ｌｇ３の約半分であるので、このことを参照すれば、本実施形態の変形例におけるライン反転駆動方式を採用するときに生じる電流リークによるフリッカは、上記別の従来のライン反転駆動方式を採用するときに生じる電流リークによるフリッカとほぼ同程度であるといえる。ここで、走査停止期間Ｔｎｓｃを全く有しない（従来の）ライン反転駆動方式の消費電力を基準とするとき、上記走査停止期間Ｔｎｓｃの長さが走査期間Ｔｓｃの長さと等しい上記別の従来のライン反転駆動方式での消費電力はその１／２となり、本実施形態の変形例におけるライン反転駆動方式での消費電力はその１／３となる。したがって、この変形例は、上記走査停止期間Ｔｎｓｃの長さが走査期間Ｔｓｃの長さと等しい上記別の従来のライン反転駆動方式の場合と比較するとき、電流リークにより生じるフリッカをほぼ同程度としながら、消費電力を２／３にすることができる。
【００５９】
上記実施形態では、走査信号Ｇ（１）とＧ（２）、Ｇ（３）とＧ（４）、Ｇ（５）とＧ（６）、Ｇ（７）とＧ（８）のそれぞれの組を仮想走査信号とし、この仮想走査信号により走査が行われる１組の隣り合う走査信号線Ｌｇを仮想走査信号線としたが、例えば走査信号Ｇ（１）〜Ｇ（４）、Ｇ（５）〜Ｇ（８）のそれぞれの組を仮想走査信号とし、この仮想走査信号により走査が行われる１組の隣り合う走査信号線Ｌｇを仮想走査信号線とするなど、３つ以上の隣り合う走査信号線を１組として仮想走査信号線としてもよい。なお、これらの場合には、１つの仮想走査信号線が選ばれるとき、対応する映像信号線から正極性の電圧を印加される画素形成部と負極性の電圧を印加される画素形成部とが同数とはならない場合も考えられるが、これらの数が著しく異ならない限り、正負非対称によるフリッカを空間的に低減させることができる。
【００６０】
＜２．第２の実施形態＞
次に、本発明の第２の実施形態に係る液晶表示装置について説明する。本実施形態は、図３および図４に示した駆動方法に代えて図６から図８までに示す駆動法が採用されている点で、第１の実施形態と相違する。本実施形態における全体構成および液晶パネルの構成は第１の実施形態と同様であるので、同一または対応する部分に同一の参照符号を付して説明を省略する。
【００６１】
＜２．１  駆動方法＞
以下、図６から図８までを参照しつつ本実施形態に係る液晶表示装置の駆動方法を説明する。なお本実施形態においては、説明の便宜上、液晶パネル６００における走査信号線Ｌｇの本数を１６、映像信号線Ｌｓの本数を８とし、１６本の走査信号線Ｌｇには走査信号線駆動回路４００により走査信号Ｇ（１）〜Ｇ（１６）がそれぞれ印加され、８本の映像信号線Ｌｓには映像信号線駆動回路３００により駆動用映像信号Ｄ（１）〜Ｄ（８）がそれぞれ印加されるものとする。
【００６２】
図６および図７は、本実施形態に係る液晶表示装置の駆動方法を説明するための概念図であり、この図における表現方法は図３で採用したものと同様である。また、図８は、本駆動方法を説明するためのタイミングチャートであり、この図における表現方法は図４で採用したものと同様である。
【００６３】
図６（ａ）は、第ｎフレームを４等分して得られた第１から第４までの期間のうちの第１の期間に映像信号Ｄ（１）〜Ｄ（８）によって書き換えられる画素値に相当する画素電圧の極性を示している。本駆動方法では、図８（ａ）〜（ｐ）に示すように、第ｎフレームＦ（ｎ）の第１の期間のうちの走査期間である第１の走査期間Ｔｓｃ１において、画素マトリクスにおける１行目、２行目、９行目、および１０行目に対応する走査信号Ｇ（１）、Ｇ（２）、Ｇ（９）、Ｇ（１０）が順にアクティブとなることで走査が行われる。なお、本実施形態に係る液晶表示装置では説明の便宜のために走査信号線を１６本としたが、実際の液晶表示装置では例えばＱＶＧＡ規格のもので走査信号線が２４０本あることから、１番目の仮想走査信号線、５番目の仮想走査信号線、９番目の仮想走査信号線というように（４ｕ−３）番目の仮想走査信号線（ｕは１から全走査信号線数の４分の１までの自然数）が順に選択されることで、仮想的な飛び越し走査が行われる。そして、画素マトリクスにおける第１行、第２行、第９行、第１０行の各画素形成部Ｐｘに書き込むべき画素値に相当する電圧が、それぞれ走査信号Ｇ（１）、Ｇ（２）、Ｇ（９）、Ｇ（１０）のアクティブ期間において、図８（ｒ）に示すように正極性または負極性の映像信号Ｄ（１）〜Ｄ（８）として各映像信号線Ｌｓに印加される。これらの映像信号Ｄ（１）〜Ｄ（８）の極性は、走査信号Ｇ（１）およびＧ（９）のアクティブ期間では正極性であり、走査信号Ｇ（２）およびＧ（１０）のアクティブ期間では負極性である。なお、ここでの第１の走査期間Ｔｓｃでは、２番目から４番目まで、および６番目から８番目までの仮想走査信号である走査信号Ｇ（３）〜Ｇ（８）、Ｇ（１１）〜Ｇ（１６）は非アクティブであるので、対応する画素マトリクスにおける画素形成部Ｐｘには、当該第１の走査期間Ｔｓｃ１以前に印加された画素電圧が画素値として保持されている。
【００６４】
上記のような第ｎフレームＦ（ｎ）の第１の走査期間Ｔｓｃ１に続いて、本駆動方法では、第ｎフレームＦ（ｎ）の第１の期間のうちの所定の第１の走査停止期間Ｔｎｓｃ１だけ全ての走査信号Ｇ（１）〜Ｇ（１６）が非アクティブとなって走査が停止する。この第１の走査停止期間Ｔｎｓｃ１では、画素マトリクスの極性パターンが図６（ａ）に示すパターンである状態が継続する。なお、第１の実施形態と同様、第１の走査停止期間Ｔｎｓｃ１における映像信号Ｄ（１）〜Ｄ（１６）の電圧レベルは、特に限定されない。
【００６５】
図６（ｂ）は、第ｎフレームを４等分した所定の第１から第４までの期間のうちの第２の期間に映像信号Ｄ（１）〜Ｄ（８）によって書き換えられる画素値に相当する画素電圧の極性を示している。本駆動方法では、図８（ａ）〜（ｐ）に示すように、第ｎフレームＦ（ｎ）の第２の期間のうちの所定の第２の走査期間Ｔｓｃ２において、画素マトリクスにおける３行目、４行目、１１行目、および１２行目に対応する走査信号Ｇ（３）、Ｇ（４）、Ｇ（１１）、Ｇ（１２）が順にアクティブとなることで走査が行われる。なお、実際の液晶表示装置ではさらに走査信号線が多いことから、２番目の仮想走査信号線、６番目の仮想走査信号線、１０番目の仮想走査信号線というように（４ｕ−２）番目の仮想走査信号線が順に選択されることで、仮想的な飛び越し走査が行われる。そして、画素マトリクスにおける第３行、第４行、第１１行、および第１２行の各画素形成部Ｐｘに書き込むべき画素値に相当する電圧が、それぞれ走査信号Ｇ（３）、Ｇ（４）、Ｇ（１１）、Ｇ（１２）のアクティブ期間において、図８（ｒ）に示すように正極性または負極性の映像信号Ｄ（１）〜Ｄ（８）として各映像信号線Ｌｓに印加される。これらの映像信号Ｄ（１）〜Ｄ（８）の極性は、走査信号Ｇ（３）、Ｇ（１１）のアクティブ期間では正極性であり、走査信号Ｇ（４）、Ｇ（１２）のアクティブ期間では負極性である。なお、ここでの第２の走査期間Ｔｓｃ２では、１番目、３番目、４番目、５番目、７番目、および８番目の仮想走査信号である走査信号Ｇ（１）、Ｇ（３）、Ｇ（４）、Ｇ（５）、Ｇ（７）、Ｇ（８）は非アクティブであるので、対応する画素マトリクスにおける画素形成部Ｐｘには、当該第２の走査期間Ｔｓｃ２以前に印加された画素電圧が画素値として保持されている。
【００６６】
上記のような第ｎフレームＦ（ｎ）の第２の走査期間Ｔｓｃ２に続いて、第ｎフレームＦ（ｎ）の第２の期間のうちの所定の第２の走査停止期間Ｔｎｓｃ２だけ全ての走査信号Ｇ（１）〜Ｇ（１６）が非アクティブとなって走査が停止する。この第２の走査停止期間Ｔｎｓｃ２では、画素マトリクスの極性パターンが図６（ｂ）に示すパターンである状態が継続する。
【００６７】
図６（ｃ）は、第ｎフレームを４等分した所定の第１から第４までの期間のうちの第３の期間に映像信号Ｄ（１）〜Ｄ（８）によって書き換えられる画素値に相当する画素電圧の極性を示している。本駆動方法では、図８（ａ）〜（ｐ）に示すように、第ｎフレームＦ（ｎ）の第３の期間のうちの所定の第３の走査期間Ｔｓｃ２において、画素マトリクスにおける５行目、６行目、１３行目、および１４行目に対応する走査信号Ｇ（５）、Ｇ（６）、Ｇ（１３）、Ｇ（１４）が順にアクティブとなることで走査が行われる。なお、実際の液晶表示装置では、３番目の仮想走査信号線、７番目の仮想走査信号線、１１番目の仮想走査信号線というように（４ｕ−１）番目の仮想走査信号線が順に選択されることで、仮想的な飛び越し走査が行われる。そして、画素マトリクスにおける第５行、第６行、第１３行、および第１４行の各画素形成部Ｐｘに書き込むべき画素値に相当する電圧が、それぞれ走査信号Ｇ（５）、Ｇ（６）、Ｇ（１３）、Ｇ（１４）のアクティブ期間において、図８（ｒ）に示すように正極性または負極性の映像信号Ｄ（１）〜Ｄ（８）として各映像信号線Ｌｓに印加される。なお、ここでの第３の走査期間Ｔｓｃ３では、１番目、２番目、４番目、５番目、６番目、および８番目の仮想走査信号である走査信号Ｇ（１）、Ｇ（２）、Ｇ（４）、Ｇ（５）、Ｇ（６）、Ｇ（８）は非アクティブであるので、対応する画素マトリクスにおける画素形成部Ｐｘには、当該第３の走査期間Ｔｓｃ３以前に印加された画素電圧が画素値として保持されている。
【００６８】
上記のような第ｎフレームＦ（ｎ）の第３の走査期間Ｔｓｃ３に続いて、第ｎフレームＦ（ｎ）の第３の期間のうちの所定の第３の走査停止期間Ｔｎｓｃ３だけ全ての走査信号Ｇ（１）〜Ｇ（１６）が非アクティブとなって走査が停止する。この第３の走査停止期間Ｔｎｓｃでは、画素マトリクスの極性パターンが図６（ｃ）に示すパターンである状態が継続する。
【００６９】
図６（ｄ）は、第ｎフレームを４等分した所定の第１から第４までの期間のうちの第４の期間に映像信号Ｄ（１）〜Ｄ（８）によって書き換えられる画素値に相当する画素電圧の極性を示している。本駆動方法では、図８（ａ）〜（ｐ）に示すように、第ｎフレームＦ（ｎ）の第４の期間のうちの所定の第４の走査期間Ｔｓｃ２において、走査信号Ｇ（７）、Ｇ（８）、Ｇ（１５）、Ｇ（１６）が順にアクティブとなることで走査が行われる。なお、実際の液晶表示装置では、４番目の仮想走査信号線、８番目の仮想走査信号線、１２番目の仮想走査信号線というように４ｕ番目の仮想走査信号線が順に選択されることで、仮想的な飛び越し走査が行われる。そして、画素マトリクスにおける第７行、第８行、第１５行、および第１６行の各画素形成部Ｐｘに書き込むべき画素値に相当する電圧が、それぞれ走査信号Ｇ（７）、Ｇ（８）、Ｇ（１５）、Ｇ（１６）のアクティブ期間において、図８（ｇ）に示すように正極性または負極性の映像信号Ｄ（１）〜Ｄ（８）として各映像信号線Ｌｓに印加される。なお、ここでの第４の走査期間Ｔｓｃ４では、走査信号Ｇ（１）〜Ｇ（６）、Ｇ（９）〜Ｇ（１４）は非アクティブであるので、対応する画素マトリクスにおける画素形成部Ｐｘには、当該第４の走査期間Ｔｓｃ４以前に印加された画素電圧が画素値として保持されている。
【００７０】
上記のような第ｎフレームＦ（ｎ）の第４の走査期間Ｔｓｃ４に続いて、第ｎフレームＦ（ｎ）の第４の期間のうちの所定の第４の走査停止期間Ｔｎｓｃ４だけ全ての走査信号Ｇ（１）〜Ｇ（１６）が非アクティブとなって走査が停止する。この第４の走査停止期間Ｔｎｓｃでは、画素マトリクスの極性パターンが図６（ｄ）に示すパターンである状態が継続する。
【００７１】
図７（ａ）は、次の第ｎ＋１フレームを４等分した所定の第１から第４までの期間のうちの第１の期間に映像信号Ｄ（１）〜Ｄ（８）によって書き換えられる画素値に相当する画素電圧の極性を示している。ここで、図７（ａ）に示す画素電圧の極性は、図６（ａ）に示す極性が反転されたものであるから、本駆動方法では、図８（ｒ）に示す映像信号Ｄ（１）〜Ｄ（８）の極性が反転されることを除き、図８（ａ）〜（ｐ）に示す走査と同様の走査が行われる。よって、図６（ａ）における上述した説明と同様となるので、対応する駆動方法の詳しい説明は省略する。
【００７２】
また、図７（ｂ）は、第ｎ＋１フレームを４等分した所定の第１から第４までの期間のうちの第２の期間に、図７（ｃ）は、それらの期間のうちの第３の期間に、図７（ｄ）は、それらの期間のうちの第４の期間に、映像信号Ｄ（１）〜Ｄ（８）によって書き換えられる画素値に相当する画素電圧の極性をそれぞれ示している。これらの場合も画素電圧の極性が反転されている他は上述の図６（ｂ）〜（ｄ）における場合と同様であるので、対応する駆動方法の詳しい説明は省略する。
【００７３】
上記のような駆動方法によれば、画素マトリクスの極性パターンは、第ｎフレームＦ（ｎ）の終了時点では、画素マトリクスにおける奇数行が正極性、偶数行が負極性であるパターンとなり、第ｎ＋１フレームＦ（ｎ＋１）の終了時点では、画素マトリクスにおける奇数行が負極性、偶数行が正極性であるパターンとなる。このようにして上記駆動方法により、１ライン反転駆動を行うことができる。
【００７４】
＜２．２  効果＞
本実施形態では、上記第１の実施形態と同様に、１つの仮想走査信号線が選ばれるとき、対応する映像信号線から正極性の電圧を印加される画素形成部と負極性の電圧を印加される画素形成部とが同数となるので、正負非対称によるフリッカを空間的に低減させることができる。また、連続する２つのフレームで上記正負極性が反転されるため、正負非対称によるフリッカを時間的にも低減させることができる。さらに、本実施形態では、同じ長さ（ここでは走査期間Ｔｓｃの３倍の長さ）の走査停止期間Ｔｎｓｃを有する従来のライン反転駆動の場合や、第１の実施形態の場合に比べ、消費電力を増加させることなく電流リークによるフリッカをさらに低減させることができる。本実施形態でも第１の実施形態と同様、図５を参照して説明したように、或る画素形成部Ｐｘとは異なる仮想走査信号線に繋がる画素形成部であって垂直方向に沿って隣り合う画素形成部を画素形成部Ｐｘｎとするとき、画素形成部Ｐｘおよび画素形成部Ｐｘｎの輝度の平均値の変化量は、画素形成部Ｐｘの輝度の変化量よりも必ず小さくなる。さらに、本実施形態での走査停止期間Ｔｎｓｃの長さは第１の実施形態での走査停止期間Ｔｎｓｃの長さの半分であるから、画素形成部Ｐｘ，Ｐｘｎの最大輝度となる時点がほぼ１フレームの１／４の期間だけずれることにより、画素形成部Ｐｘおよび画素形成部Ｐｘｎの輝度の平均値の変化は第１の実施形態の場合での輝度の変化よりもさらに小さなものとなる。このように、本実施形態では、消費電力を増加させることなく、異なる仮想走査信号線に含まれかつ隣り合う走査信号線に繋がる２つの画素形成部の輝度の平均値の変化をさらに小さくすることにより、電流リークによるフリッカが空間的に低減される。
【００７５】
＜２．３  変形例＞
上記実施形態では、従来のライン反転駆動の場合と同じく、走査停止期間Ｔｎｓｃの長さを走査期間Ｔｓｃの３倍の長さとすることにより、装置の消費電力を同じくしている。しかし、第１の実施形態の変形例と同様に、従来のライン反転駆動の場合よりも走査停止期間Ｔｎｓｃの長さを長くすることにより、従来のライン反転駆動の場合と同程度の電流リークによるフリッカが生じるが、従来のライン反転駆動の場合よりも消費電力を小さくする構成も考えられる。
【００７６】
上記実施形態では、第ｎフレームＦ（ｎ）の第１から第４までの期間において、３つの仮想走査信号線をあけた（飛び越した）仮想的な飛び越し走査が行われるが、第ｎフレームＦ（ｎ）を３等分した第１から第３までの期間において、２つの仮想走査信号線をあけた（飛び越した）仮想的な飛び越し走査が行われてもよいし、第ｎフレームＦ（ｎ）を５等分またはそれ以上に分けた期間において、４つまたはそれ以上の数の仮想走査信号線をあけた（飛び越した）仮想的な飛び越し走査が行われてもよい。なお、これらの場合には、１つの仮想走査信号線が選ばれるとき、対応する映像信号線から正極性の電圧を印加される画素形成部と負極性の電圧を印加される画素形成部とが同数とはならない場合も考えられるが、これらの数が著しく異ならない限り、正負非対称によるフリッカを空間的に低減させることができる。
【００７７】
＜３．第３の実施形態＞
次に、本発明の第３の実施形態に係る液晶表示装置について説明する。本実施形態は、図３および図４に示した駆動方法に代えて図９に示す駆動法が採用されている点で、第１の実施形態と相違する。本実施形態における全体構成および液晶パネルの構成は第１の実施形態と同様であるので、同一または対応する部分に同一の参照符号を付して説明を省略する。なお、本実施形態は、第１の実施形態（図２（ａ））に示す１ライン反転駆動方式ではなく、画素液晶への印加電圧の正負極性を画素マトリクスにおける２行毎に反転させ且つ１フレーム毎にも反転させる駆動方式である２ライン反転駆動方式が採用されている。
【００７８】
＜３．１  駆動方法＞
以下、図９を参照して本実施形態に係る液晶表示装置の駆動方法を説明する。なお本実施形態においても、説明の便宜上、液晶パネル６００における走査信号線Ｌｇの本数を１６、映像信号線Ｌｓの本数を８とし、８本の走査信号線Ｌｇには走査信号線駆動回路４００により走査信号Ｇ（１）〜Ｇ（１６）がそれぞれ印加され、８本の映像信号線Ｌｓには映像信号線駆動回路３００により駆動用映像信号Ｄ（１）〜Ｄ（８）がそれぞれ印加されるものとする。
【００７９】
図９は、本実施形態に係る液晶表示装置の駆動方法を説明するための概念図であり、この図における表現方法は図３で採用したものと同様である。なお、図４に示すような、本駆動方法を説明するためのタイミングチャートは、前述した第１および第２の実施形態の説明および以下の説明から明らかであるため省略する。
【００８０】
図９（ａ）は、第ｎフレームの前半期間のうちの所定の期間に映像信号Ｄ（１）〜Ｄ（８）によって書き換えられる画素値に相当する画素電圧の極性を示している。本駆動方法では、第ｎフレームＦ（ｎ）の前半期間のうちの所定の走査期間Ｔｓｃにおいて、画素マトリクスにおける１行目から４行目までおよび９行目から１２行目までに対応する走査信号Ｇ（１）〜Ｇ（４）、Ｇ（９）〜Ｇ（１２）が順にアクティブとなることで走査が行われる。なお、この実施形態では、第１の実施形態と異なり、画素マトリクスにおける１行目から４行目までと、５行目から８行目までと、９行目から１２行目までと、１３行目から１６行目までとに対応する走査信号Ｇ（１）〜Ｇ（４）、Ｇ（５）〜Ｇ（８）。Ｇ（９）〜Ｇ（１２）、およびＧ（１３）〜Ｇ（１６）のそれぞれの組を「仮想走査信号」といい、この仮想走査信号により走査が行われる１組の隣り合う走査信号線Ｌｇを「仮想走査信号線」という。以上のように走査すれば、実際の液晶表示装置の走査信号線数は１６本より相当多いことから、実際には奇数番目の仮想走査信号線が順に選択されることで、仮想的な飛び越し走査が行われる。そして、画素マトリクスにおける１行目から４行目までおよび９行目から１２行目までの各画素形成部Ｐｘに書き込むべき画素値に相当する電圧が、それぞれ走査信号Ｇ（１）〜Ｇ（４）、Ｇ（９）〜Ｇ（１２）のアクティブ期間において、正極性または負極性の映像信号Ｄ（１）〜Ｄ（８）として各映像信号線Ｌｓに印加される。なお、ここでの走査期間Ｔｓｃでは、偶数番目の仮想走査信号である走査信号Ｇ（５）〜Ｇ（８）、Ｇ（１３）〜Ｇ（１６）は非アクティブであるので、対応する画素マトリクスにおける画素形成部Ｐｘには、当該走査期間Ｔｓｃ以前に印加された画素電圧が画素値として保持されている。
【００８１】
上記のような第ｎフレームＦ（ｎ）の前半期間のうちの所定の走査期間Ｔｓｃに続いて、本駆動方法では、第１の実施形態と同様、第ｎフレームＦ（ｎ）の前半期間のうちの所定の走査停止期間Ｔｎｓｃだけ全ての走査信号Ｇ（１）〜Ｇ（１６）が非アクティブとなって走査が停止し、この走査停止期間Ｔｎｓｃでは、画素マトリクスの極性パターンが図９（ａ）に示すパターンである状態が継続する。なお、ここでの走査停止期間Ｔｎｓｃは、第１の実施形態と同様に走査期間Ｔｓｃの３倍の長さを有するものとする。
【００８２】
図９（ｂ）は、第ｎフレームの後半期間に映像信号Ｄ（１）〜Ｄ（８）によって書き換えられる画素値に相当する画素電圧の極性を示している。本駆動方法では、第ｎフレームＦ（ｎ）の後半期間のうちの所定の走査期間Ｔｓｃにおいて、画素マトリクスにおける５行目から８行目までおよび１３行目から１６行目までに対応する走査信号Ｇ（５）〜Ｇ（８）、Ｇ（１３）〜Ｇ（１６）がこの順にアクティブとなることで、すなわち偶数番目の仮想走査信号線が順に選択されることで、仮想的な飛び越し走査が行われる。そして、画素マトリクスにおける５行目から８行目までおよび１３行目から１６行目までの各画素形成部Ｐｘに書き込むべき画素値に相当する電圧が、それぞれ走査信号Ｇ（５）〜Ｇ（８）、Ｇ（１３）〜Ｇ（１６）のアクティブ期間において、正極性または負極性の映像信号Ｄ（１）〜Ｄ（８）として各映像信号線Ｌｓに印加される。なお、ここでの走査期間Ｔｓｃでは、奇数番目の仮想走査信号である走査信号Ｇ（１）〜Ｇ（４）、Ｇ（９）〜Ｇ（１２）は非アクティブであるので、対応する画素マトリクスにおける画素形成部Ｐｘには、当該走査期間Ｔｓｃ以前に印加された画素電圧が画素値として保持されている。
【００８３】
上記のような第ｎフレームＦ（ｎ）の後半期間のうちの所定の走査期間Ｔｓｃに続いて、第１の実施形態と同様、第ｎフレームＦ（ｎ）の後半期間のうちの所定の走査停止期間Ｔｎｓｃだけ全ての走査信号Ｇ（１）〜Ｇ（１６）が非アクティブとなって走査が停止する。この走査停止期間Ｔｎｓｃでは、画素マトリクスの極性パターンが図９（ｂ）に示すパターンである状態が継続する。
【００８４】
また、図９（ｃ）は次の第ｎ＋１フレームの前半期間に、図９（ｄ）は、第ｎ＋１フレームの後半期間に、映像信号Ｄ（１）〜Ｄ（８）によって書き換えられる画素値に相当する画素電圧の極性をそれぞれ示している。これらは画素電圧の極性が反転されている他は上述の図９（ａ）および図９（ｂ）における場合と同様であるので、対応する駆動方法の詳しい説明は省略する。
【００８５】
上記のような駆動方法によれば、画素マトリクスの極性パターンは、第ｎフレームＦ（ｎ）の終了時点では、画素マトリクスにおける１行目、２行目、５行目、６行目、９行目、１０行目、１３行目、および１４行目が正極性、３行目、４行目、７行目、８行目、１１行目、１２行目、１５行目、および１６行目が負極性であるパターンとなり、第ｎ＋１フレームＦ（ｎ＋１）の終了時点では、画素マトリクスにおける１行目、２行目、５行目、６行目、９行目、１０行目、１３行目、および１４行目が負極性、３行目、４行目、７行目、８行目、１１行目、１２行目、１５行目、および１６行目が正極性であるパターンとなる。このようにして上記駆動方法により、２ライン反転駆動を行うことができる。
【００８６】
＜３．２  効果＞
本実施形態では、上記第１の実施形態と同様に、正負非対称によるフリッカを空間的に低減させることができる。また、連続する２つのフレームで上記正負極性が反転されるため、正負非対称によるフリッカを時間的にも低減させることができる。さらに、本実施形態では、同じ長さ（ここでは走査期間Ｔｓｃの３倍の長さ）の走査停止期間Ｔｎｓｃを有する従来のライン反転駆動の場合に比べ、消費電力を増加させることなく電流リークによるフリッカを低減させることができる。本実施形態でも第１の実施形態と同様、図５を参照して説明したように、或る画素形成部Ｐｘとは異なる仮想走査信号線に繋がる画素形成部であって垂直方向に沿って隣り合う画素形成部を画素形成部Ｐｘｎとするとき、画素形成部Ｐｘおよび画素形成部Ｐｘｎの輝度の平均値の変化量は、画素形成部Ｐｘの輝度の変化量よりも必ず小さくなる。
【００８７】
さらに、本実施形態で１本の仮想走査信号線を構成する走査信号線の数は、第１の実施形態での走査信号線の数の２倍であるから、画素形成部Ｐｘ，Ｐｘｎの数が第１の実施形態の数の半分となる。これらの画素形成部Ｐｘ，Ｐｘｎには、少なくとも走査停止期間以上離れたタイミングで画素電圧が印加されるため、同じ仮想走査信号線に繋がる画素形成部の場合よりも画素電圧を保持する容量素子からの電流リークによって大きな輝度差が生じることになる。よって、これらの画素形成部Ｐｘ，Ｐｘｎの数が少なくなることにより、画面全体では第１の実施形態の場合よりも輝度の変化が生じる部分が少なくなる。このように、本実施形態では、消費電力を増加させることなく、異なる仮想走査信号線に含まれかつ隣り合う走査信号線に繋がる２つの画素形成部の輝度の平均値の変化を小さくすることにより、電流リークによるフリッカが空間的に低減される。
【００８８】
＜３．３  変形例＞
上記実施形態では、従来のライン反転駆動の場合と同じく、走査停止期間Ｔｎｓｃの長さを走査期間Ｔｓｃの３倍の長さとすることにより、装置の消費電力を同じくしている。しかし、第１の実施形態の変形例と同様に、従来のライン反転駆動の場合よりも走査停止期間Ｔｎｓｃの長さを長くすることにより、従来のライン反転駆動の場合と同程度の電流リークによるフリッカが生じるが、従来のライン反転駆動の場合よりも消費電力を小さくする構成も考えられる。
【００８９】
上記実施形態では、２ライン反転駆動が行われるが、３水平走査線毎またはそれ以上の水平走査線毎に印加電圧の正負極性を反転させつつ１フレーム毎にも正負極性を反転させる駆動方式が採用されてもよい。また、上記実施形態における２ライン反転駆動や、第１および第２の実施形態における１ライン反転駆動などのライン反転駆動に代えて、水平走査線に沿った画素形成部毎に印加電圧の正負極性を反転させる駆動方式（ドット反転駆動方式）が採用されてもよい。このドット反転駆動方式が採用される場合、１つの水平走査線に沿った画素形成部に対応する正負極性が１つ（または２つ以上）の画素形成部毎に交互に反転されるため、正負非対称によるフリッカが空間的に低減される。また、各画素形成部に対応して定められる正負極性がフレーム毎に反転されるため、正負非対称によるフリッカが時間的にも低減される。また、異なる仮想走査信号線に含まれかつ隣り合う走査信号線に繋がる２つの画素形成部の輝度の平均値の変化を小さくすることにより、消費電力を増加させることなく、電流リークによるフリッカが空間的に低減される。
【００９０】
＜４．第４の実施形態＞
次に、本発明の第４の実施形態に係る液晶表示装置について説明する。本実施形態は、図９に示した駆動方法に代えて図１０に示す駆動法が採用されている点で、第３の実施形態と相違する。本実施形態における全体構成および液晶パネルの構成は第１および第３の実施形態と同様であるので、同一または対応する部分に同一の参照符号を付して説明を省略する。なお、本実施形態では、第１の実施形態と同様、１ライン反転駆動方式が採用されている。
【００９１】
＜４．１  駆動方法＞
以下、図１０を参照して本実施形態に係る液晶表示装置の駆動方法を説明する。なお本実施形態においても、説明の便宜上、液晶パネル６００における走査信号線Ｌｇの本数を１６、映像信号線Ｌｓの本数を８とし、８本の走査信号線Ｌｇには走査信号線駆動回路４００により走査信号Ｇ（１）〜Ｇ（１６）がそれぞれ印加され、８本の映像信号線Ｌｓには映像信号線駆動回路３００により駆動用映像信号Ｄ（１）〜Ｄ（８）がそれぞれ印加されるものとする。
【００９２】
図１０は、本実施形態に係る液晶表示装置の駆動方法を説明するための概念図であり、この図における表現方法は図３で採用したものと同様である。図１０（ａ）は第ｎフレームの前半期間に、図１０（ｂ）は第ｎフレームの後半期間に、図１０（ｃ）は次の第ｎ＋１フレームの前半期間に、図１０（ｄ）は、第ｎ＋１フレームの後半期間に、映像信号Ｄ（１）〜Ｄ（８）によって書き換えられる画素値に相当する画素電圧の極性をそれぞれ示している。これらは画素電圧の極性が反転されている他は上述の図３（ａ）から図３（ｄ）までにおける場合と同様であるので、対応する駆動方法の詳しい説明は省略するが、この実施形態では、第３の実施形態と異なり、第１の実施形態と同様、画素マトリクスにおける１行目と２行目、３行目と４行目、５行目と６行目、…、１５行目と１６行目に対応する走査信号Ｇ（１）とＧ（２）、Ｇ（３）とＧ（４）、Ｇ（５）とＧ（６）、…、Ｇ（１５）とＧ（１６）のそれぞれの組を「仮想走査信号」といい、この仮想走査信号により走査が行われる１組の隣り合う走査信号線Ｌｇを「仮想走査信号線」という。よって例えば、画素マトリクスにおける１行目と２行目に対応する走査信号Ｇ（１）とＧ（２）は１番目の仮想走査信号であり、この１番目の仮想走査信号により走査が行われる１組の走査信号線Ｌｇは１番目の仮想走査信号線である。さらに、本実施形態では、第１の実施形態とは異なり、１番目と２番目、３番目と４番目、５番目と６番目、７番目と８番目の隣り合う仮想走査信号線をそれぞれ１組として「仮想走査信号線群」という。ここでは第ｎフレームの前半期間に奇数番目の仮想走査信号線群が順に選択されることで、仮想的な飛び越し走査が行われ、その後半期間に偶数番目の仮想走査信号線群が順に選択されることで、仮想的な飛び越し走査が行われる。上記のような駆動方法によれば、第１の実施形態と同様、１ライン反転駆動を行うことができる。
【００９３】
＜４．２  効果＞
本実施形態では、仮想走査線群に基づく仮想的な飛び越し走査を行うことにより、図３に示す第１の実施形態の場合と比較して、（仮想走査線群に対応する全画素形成部における）輝度変化の面内平均化がなされる、すなわち電流リークによるフリッカが空間的に低減される。また、本実施形態では、上記第１の実施形態と同様に、正負非対称によるフリッカを空間的および時間的に低減させることができる。さらに、本実施形態では、同じ長さ（ここでは走査期間Ｔｓｃの３倍の長さ）の走査停止期間Ｔｎｓｃを有する従来のライン反転駆動の場合に比べ、第３の実施形態と同様に、消費電力を増加させることなく電流リークによるフリッカを空間的に低減させることができる。
【００９４】
＜４．３  変形例＞
上記実施形態では、従来のライン反転駆動の場合と同じく、走査停止期間Ｔｎｓｃの長さを走査期間Ｔｓｃの３倍の長さとすることにより、装置の消費電力を同じくしている。しかし、第１の実施形態の変形例と同様に、従来のライン反転駆動の場合よりも走査停止期間Ｔｎｓｃの長さを長くすることにより、従来のライン反転駆動の場合と同程度の電流リークによるフリッカが生じるが、従来のライン反転駆動の場合よりも消費電力を小さくする構成も考えられる。
【００９５】
上記実施形態では、１番目と２番目、３番目と４番目、５番目と６番目、７番目と８番目の仮想走査信号線をそれぞれ１組として仮想走査信号線群としたが、１番目から４番目まで、５番目から８番目までの仮想走査信号線をそれぞれ１組として仮想走査信号線群とするなど、どの隣り合う走査信号線の組み合わせを仮想走査信号線群とするかは特に限定されない。この場合には、１つの仮想走査信号線群が選ばれるとき、対応する映像信号線から正極性の電圧を印加される画素形成部と負極性の電圧を印加される画素形成部とが同数とはならない場合も考えられるが、これらの数が著しく異ならない限り、正負非対称によるフリッカを空間的に低減させることができる。また、仮想走査信号線群のうちの複数をグループ化し、またはグループ化を繰り返すことによりさらに高次の仮想走査信号線群を複数規定し、これらの高次の仮想走査信号線群を適宜選択することで、仮想的な飛び越し走査が行われてもよい。
【図面の簡単な説明】
【００９６】
【図１】本発明の第１の実施形態に係る液晶表示装置の構成を示すブロック図である。
【図２】第１の実施形態における液晶パネルの構成を示す模式図（ａ）および等価回路図（ｂ）である。
【図３】第１の実施形態に係る液晶表示装置の駆動方法を説明するための概念図である。
【図４】第１の実施形態に係る液晶表示装置の駆動方法を説明するためのタイミングチャートである。
【図５】第１の実施形態において電流リークによるフリッカが空間的に低減されることを説明する図である。
【図６】第２の実施形態に係る液晶表示装置の駆動方法の一部を説明するための概念図である。
【図７】第２の実施形態に係る液晶表示装置の駆動方法の他の一部を説明するための概念図である。
【図８】第２の実施形態に係る液晶表示装置の駆動方法の一部を説明するためのタイミングチャートである。
【図９】第３の実施形態に係る液晶表示装置の駆動方法を説明するための概念図である。
【図１０】第４の実施形態に係る液晶表示装置の駆動方法を説明するための概念図である。
【符号の説明】
【００９７】
１０      …ＴＦＴ（薄膜トランジスタ）
２００    …表示制御回路
３００    …映像信号線駆動回路
４００    …走査信号線駆動回路
５００    …共通電極駆動回路
６００    …液晶パネル
Ｌｓ      …映像信号線（列電極）
Ｌｇ      …走査信号線（行電極）
Ｐｘ      …画素形成部（画素）
Ｃｐ      …画素容量
Ｅｐ      …画素電極
Ｅｃ      …共通電極（対向電極）
Ｖｃｏｍ  …共通電圧
ＣＫ      …クロック信号
ＨＳＹ    …水平同期信号
ＶＳＹ    …垂直同期信号
Ｄａ      …デジタル画像信号
Ｇ（ｋ）  …走査信号（ｋ＝１，２，３，…）
Ｄ（ｊ）  …映像信号（ｊ＝１，２，３，…）
Ｆ（ｎ）  …第ｎフレーム
Ｔｓｃ    …走査期間
Ｔｎｓｃ  …走査停止期間
Ｔｈ      …水平走査期間
Ｌａｖ    …垂直方向に隣り合う所定の画素の輝度の平均値
【図１】
2006030831.tif 000003
【図２】
2006030831.tif 000004
【図３】
2006030831.tif 000005
【図４】
2006030831.tif 000006
【図５】
2006030831.tif 000007
【図６】
2006030831.tif 000008
【図７】
2006030831.tif 000009
【図８】
2006030831.tif 000010
【図９】
2006030831.tif 000011
【図１０】
2006030831.tif 000012